(57)【要約】【課題】直線上の任意の位置へ交差する直線を引く場合、分度器や定規を使い、又、多角形を描く場合には、更に、コンパスを使っていた。そのため、分度器、定規及びコンパスなどを使い分ける必要があり、大変面倒であった。直定規と分度器を一体化して、交差する直線を容易に引くことができると共に、多角形を容易に描くことができる直定規付き分度器を提供する。【解決手段】直定規１と分度器２を一体化し、分度器２の０−１８０度角度線と当該分度器２の直線部に設ける長さ目盛が重複しないよう、０−１８０度角度線に沿ってスリット５を設け、分度器２側の直線部を分度器直定規４とし、相対する面に、中央を０として、分度器２の中心に合わせた分度器直定規用目盛６を備えると共に、分度器２の角度線の途中に、直線との重ね合せが容易にできるよう、角度線位置確認用窓３を設ける。【選択図】図１
2018149792.tif 000002
【特許請求の範囲】
【請求項１】
直定規（１）と分度器（２）を一体化し、分度器（２）の０−１８０度角度線と当該分度器（２）の直線部に設ける長さ目盛が重複しないよう、０−１８０度角度線に沿ってスリット（５）を設け、分度器（２）側の直線部を分度器直定規（４）とし、相対する面に、中央を０として、分度器（２）の中心に合わせた分度器直定規用長さ目盛（６）を備えると共に、分度器（２）の角度線の途中に、直線と角度線の重ね合せを容易にするための角度線位置確認用窓（３）を設けた直定規付き分度器。
【発明の詳細な説明】
【技術分野】
【０００１】  本発明は、作図などに用いる直定規と分度器を一体化したもので、直線上の任意の位置に於いて、任意の角度及び任意の長さにて交差する直線を容易に引くことができ、更に、多角形も容易に描くことができる、直定規付き分度器に関するものである。
【背景技術】
【０００２】  従来、机上に於いて作図など行う場合、直線上の任意の位置に交差する直線を引く際には、分度器や定規を使い、又、多角形を描く際には、更に、コンパスを使っていた。尚、特許文献１及び２に示す、三角定規の表面に分度器の中心点と角度目盛を設けた、分度器又は分度器兼用三角定規が知られている。
【先行技術文献】
【特許文献】
【０００３】
【特許文献１】実開平２−３６４９２号公報
【特許文献１】実開平５−８６５９３号公報
【発明の概要】
【発明が解決しようとする課題】
【０００４】  従来、直線上の任意の位置に交差する直線を引く場合、先ず、直線上の任意の位置に分度器を当て、任意の角度に印を付けた後、印と直線上の任意の位置に定規を当てて直線を引くことから、定規と分度器を使い分ける必要があった。又、多角形を描く場合、定規や分度器を用いて、任意長さの辺及び内角を求めて作図する。又は、コンパスにて円を描き、定規、分度器及びコンパスを用いて、定めた交点を結んで作図することなどから、定規、分度器及びコンパスを使い分ける必要があり、大変面倒であった。
本発明は、以上の問題を解決するものである。
【課題を解決するための手段】
【０００５】  直定規（１）と分度器（２）を一体化し、分度器（２）の０−１８０度角度線と当該分度器（２）の直線部に設ける長さ目盛が重複しないよう、０−１８０度角度線に沿ってスリット（５）を設け、分度器（２）側の直線部を分度器直定規（４）とし、相対する面に、中央を０として、分度器（２）の中心に合わせた分度器直定規用目盛（６）を備えると共に、分度器（２）の角度線の途中に、直線との重ね合せが容易にできるよう、角度線位置確認用窓（３）を設ける。
以上を特徴とする直定規付き分度器である。
【発明の効果】
【０００６】  本発明は、直定規と分度器を一体化したことにより、直線上の任意の位置に於いて、任意の角度及び任意の長さの交差する直線を容易に引くことができる。又、分度器の０−１８０度角度線と分度器直定規用長さ目盛が重複しないため、角度の読み取りや任意の長さの線引きが容易にできると共に、多角形も容易に描くことができる。又、分度器に設けた角度線位置確認用窓により、直線と角度線の重ね合わせが確実にできるため、角度のずれが防止できる。
【図面の簡単な説明】
【０００７】
【図１】本発明の２０ｃｍ長さタイプを例とした平面図である。
【図２】本発明の断面図である。
【発明を実施するための形態】
【０００８】  図１に基づいて、本発明を実施するための形態を説明する。
イ．直定規（１）及び分度器（２）は無色又は着色透明樹脂を用い、平面上に於いて、直定規（１）の下方に分度器（２）を配置して、板状に一体成型し、分度器（２）の０−１８０度角度線に沿って、スリット（５）を設け、分度器（２）側を分度器直定規（４）とする。又、相対する直線部に長さ目盛を付して、分度器直定規用長さ目盛（６）とするべく、当該目盛の中央を０とし、直定規（１）の長さ目盛の中心と分度器（２）の中心を合わせる。尚、直定規（１）及び分度器（２）の角度目盛及び長さ目盛は、夫々、上向きに表示し、目盛、数値及び角度線は、刻印又は印刷などにて表示する。
ロ．直定規（１）の長さ目盛は、左側を０とし、１ｍｍ刻みに加えて５ｍｍ刻みの表示をすると共に、目盛の下部に、算用数字を用いてセンチ単位の表示をする。又、分度器直定規用長さ目盛（６）は、中央を０として分度器（２）の中心に合わせ、両端に向かって、１ｍｍ刻みに加えて５ｍｍ刻みの表示をすると共に、夫々、算用数字を用いてセンチ単位にて目盛の上部に表示する。
ハ．スリット（５）は、分度器（２）の０−１８０度角度線に沿って、１〜２ｍｍ幅にて、分度器直定規用長さ目盛（６）より左右に夫々２〜５ｍｍ長く設ける。このスリット（５）の幅は、分度器直定規（４）に筆記具を当て、更に、分度器直定規用長さ目盛（６）を使って、任意の長さの直線を引くもので、幅が広くなれば、分度器直定規用長さ目盛（６）が読み取り難くなり、線引き時の長さ精度の低下に繋がる。
ニ．直定規（１）及び分度器直定規（４）並びに分度器直定規用長さ目盛（６）の端面上部の角部は、目盛の読み取りや線引き作業を考慮して、緩やかな勾配の面取りを行う。又、その他の端面の上部及び下面周囲の角部は、０．１〜０．５ｍｍの面取りを行う。又、直定規（１）上側両サイドの角部は、半径１〜２ｍｍの丸み加工を行い、下側両サイドの角部及び分度器の両サイドの隅部は、半径５〜１０ｍｍの丸み加工を行う。
ホ．直定規（１）及び分度器直定規用長さ目盛（６）のエリアには、目盛を読み取り易くするため、裏面を不透明化する。
ヘ．分度器（２）の角度線及び角度目盛は、次の通りとする。
（イ）中心より半径約１０ｍｍの円弧を描き、その内面には９０度の角度線のみ表示する。
（ロ）更に、約１０ｍｍ外側に円弧を描き、１０度刻みの角度線を円弧まで引く。又、１０度刻みの角度線の間に、内側の円弧より約３ｍｍ長さにて、５度刻みの角度線を表示する。
（ハ）更に、約５ｍｍ外側に円弧を描き、５度刻みの角度線のみ表示し、１０ｍｍ刻みの角度線は表示せず、直線位置確認用スペースとする。
（ニ）更に、約９ｍｍ外側に円弧を描き、５度刻み及び１０度刻みの角度線を表示する。尚、５度刻みの角度線については、途中に◇（ひし形）の角度線位置確認用窓（３）を設ける。
（ホ）更に、約２ｍｍ外側に円弧を描き、１度刻みの角度線を表示する。
（ヘ）更に、約６ｍｍ外側に円弧を描き、１０度刻みの角度線を表示し、その途中に、直線と角度線の重ね合わせ状況が良く見えるよう、角度線位置確認用窓（３）を○△□などの枠にて設ける。
（ト）更に、約７ｍｍ外側に円弧を描き、角度目盛を表示する。角度目盛は、左右より、夫々、０度から１８０度までを１０度刻みの算用数字にて、上下二段に表示する。
（チ）更に、約２ｍｍ外側に円弧を描き、５度刻みの角度線を表示する。
（リ）更に、約４ｍｍ外側に円弧を描き、１度刻みの角度線を表示する。
本発明は以上のような構造である。
【０００９】  本発明を使用するときは、先ず、直定規（１）を用いて直線を引き、直線の交差する位置に、分度器（２）の中心を合わせ、次に、任意の角度に角度線を合わせた後、分度器直定規（４）に筆記具を当て、分度器直定規用長さ目盛（６）を用いて、任意の長さの直線を引くことができる。
【実施例】
【００１０】  本発明の具体的な実施例ついて説明する。直定規（１）及び分度器（２）は平面上に於いて、上側に直定規（１）を、下側に分度器（２）を夫々上向きにて上下に配置し、２ｍｍ厚さの無色透明樹脂にて一体成形すると共に、直定規（１）及び分度器（２）の０−１８０度角度線の間に、幅２ｍｍ、長さ２１０ｍｍのスリット（５）を設け、上側エッジ上面を分度器直定規用長さ目盛（６）とし、下側エッジ上面を分度器直定規（４）とする。又、取扱い時に於ける破損防止として、直定規（１）は、スリット（５）の長さに対して、両側を夫々２０ｍｍ長くして全長を２５０ｍｍにすると共に、直線部の全幅を５０ｍｍとし、その中央にスリット（５）を設ける。又、直定規（１）の目盛は、両端より夫々５ｍｍ内側に設け、左側を０として２４０ｍｍ長さとする。又、分度器直定規用長さ目盛（６）は、中央を０として、左右へ夫々１００ｍｍ長さとし、分度器（２）の角度線の途中に、角度線位置確認用窓（３）を設ける。
【符号の説明】
【００１１】  １  直定規
２  分度器
３  角度線位置確認用窓
４  分度器直定規
５  スリット
６  分度器直定規用長さ目盛
【図１】
2018149792.tif 000003
【図２】
2018149792.tif 000004